(57)【要約】【課題】ファインダーに備えられた液晶パネルに異物が付着した否かを検知して、検知結果をユーザーに報知する。【解決手段】ＣＰＵ１０１はピント板１２０に光学像が入射しない遮光状態とし、ＬＥＤ３０２によってＰＮＬＣＤ３００を照明して、ＰＮＬＣＤを光を拡散する状態として透過した光に応じた第１の画像を生成するとともに、ＰＮＬＣＤを光を拡散する状態として拡散した光に応じた第２の画像を生成する。ＣＰＵは第１および第２の画像に基づいてＰＮＬＣＤ異物が付着しているか否かを判定して、異物の位置を報知する。【選択図】図６
2019129458.tif 000002
【特許請求の範囲】
【請求項１】
光学像が結像するピント部材と、前記ピント部材と重ねて配置されて複数の表示体が表示される表示部材と、前記表示部材を照明する照明手段とを有するファインダー装置を備える撮像装置であって、
前記表示部材は光を透過する状態と光を拡散する状態とを切り替え可能であり、
前記ピント部材に前記光学像が入射しない遮光状態とするとともに前記照明手段によって前記表示部材を照明して、前記表示部材を光を拡散する状態として前記表示部材を透過した光に応じた第１の画像を生成し、前記表示部材を光を拡散する状態として前記表示部材で拡散した光に応じた第２の画像を生成する画像生成手段と、
前記第１の画像および前記第２の画像に基づいて前記表示部材に異物が付着しているか否かを判定する判定手段と、
前記判定手段による判定結果に応じて前記異物の前記表示部材における位置を少なくとも報知する報知手段と、
を有することを特徴とする撮像装置。
【請求項２】
前記表示部材は、前記ピント部材の側に位置する第１の主面と、前記第１の主面とに対向する第２の主面とを有する高分子分散液晶パネルを有することを特徴とする請求項１に記載の撮像装置。
【請求項３】
前記判定手段は前記異物が前記第１の主面および前記第２の主面の一方又は双方に付着しているか否かを判定することを特徴とする請求項２に記載の撮像装置。
【請求項４】
前記報知手段は、前記判定手段による判定結果によって前記第１の主面に前記異物が付着している場合には、前記ピント部材を取り外せば異物が除去可能である旨を報知し、前記第２の主面に前記異物が付着している場合には除去不可の旨を報知することを特徴とする請求項３に記載の撮像装置。
【請求項５】
前記報知手段は、前記撮像装置に備えられたモニターに前記異物の位置を表示するとともに除去可能又は除去不可の報知を行うことを特徴とする請求項４に記載の撮像装置。
【請求項６】
前記報知手段は、前記表示部材に表示される表示体のうち前記異物に最も近い表示体を表示して前記異物の位置を前記ファインダー装置で確認可能とすることを特徴とする請求項１乃至５のいずれか１項に記載の撮像装置。
【請求項７】
前記画像生成手段は、前記ファインダー装置に配置されたＡＥセンサーを有することを特徴とする請求項１乃至６のいずれか１項に記載の撮像装置。
【請求項８】
光学像が結像するピント部材と、前記ピント部材と重ねて配置されて複数の表示体が表示される表示部材と、前記表示部材を照明する照明手段とを有するファインダー装置を備える撮像装置の制御方法であって、
前記表示部材は光を透過する状態と光を拡散する状態とを切り替え可能であり、
前記ピント部材に前記光学像が入射しない遮光状態とするとともに前記照明手段によって前記表示部材を照明して、前記表示部材を光を拡散する状態として前記表示部材を透過した光に応じた第１の画像を生成し、前記表示部材を光を拡散する状態として前記表示部材で拡散した光に応じた第２の画像を生成する画像生成ステップと、
前記第１の画像および前記第２の画像に基づいて前記表示部材に異物が付着しているか否かを判定する判定ステップと、
前記判定ステップによる判定結果に応じて前記異物の前記表示部材における位置を少なくとも報知する報知ステップと、
を有することを特徴とする制御方法。
【請求項９】
光学像が結像するピント部材と、前記ピント部材と重ねて配置されて複数の表示体が表示される表示部材と、前記表示部材を照明する照明手段とを有するファインダー装置を備える撮像装置で用いられる制御プログラムであって、
前記表示部材は光を透過する状態と光を拡散する状態とを切り替え可能であり、
前記撮像装置が備えるコンピュータに、
前記ピント部材に前記光学像が入射しない遮光状態とするとともに前記照明手段によって前記表示部材を照明して、前記表示部材を光を拡散する状態として前記表示部材を透過した光に応じた第１の画像を生成し、前記表示部材を光を拡散する状態として前記表示部材で拡散した光に応じた第２の画像を生成する画像生成ステップと、
前記第１の画像および前記第２の画像に基づいて前記表示部材に異物が付着しているか否かを判定する判定ステップと、
前記判定ステップによる判定結果に応じて前記異物の前記表示部材における位置を少なくとも報知する報知ステップと、
を実行させることを特徴とする制御プログラム。
【発明の詳細な説明】
【技術分野】
【０００１】
本発明は、撮像装置、その制御方法、および制御プログラムに関し、特に、撮像装置に備えられたファインダー装置における表示制御に関する。
【背景技術】
【０００２】
一般に、一眼レフカメラなどの撮像装置に備えられたファインダー装置においては表示装置が備えられており、当該表示装置には、カメラ情報表示のため高分子分散液晶パネル（以下単に液晶パネルと呼ぶ）が用いられている。
【０００３】
例えば、ファインダー装置の連射作動中に限らず、暗い環境下においてもカメラ情報を視認可能にするため、測光によって得られた輝度に応じて液晶パネルを照明するＬＥＤの明るさを算出するようにしてものがある。そして、当該明るさに基づいてＬＥＤに印加する電流を制御している（特許文献１）。
【０００４】
このように、液晶パネルに被写体像に重ねて測距枠又は方眼線などの各種キャラクタを表示して、被写体の輝度に応じて液晶パネルを照明する所謂スーパーインポーズ表示が行われている。
【先行技術文献】
【特許文献】
【０００５】
【特許文献１】特開２０１４―７５７３９号公報
【発明の概要】
【発明が解決しようとする課題】
【０００６】
ところで、上述のように、各種キャラクタを被写体像に重ねてスーパーインポーズ表示を行う際、その表示を見やすくするためには、ピント板と液晶パネルとを可能な限り近づけて視度ずれを少なくする必要がある。
【０００７】
一方、ピント板と液晶パネルとを近づけて視度ずれを少なくすると、液晶パネルの両面に異物が付着した場合には、両面の異物に焦点がほぼ合った状態になる。このため、ユーザーがファインダー装置を覗いた際、いずれの面に付着した異物であるか見分けがつけにくい。
【０００８】
さらに、液晶パネルの下面に付着した異物については、ユーザーがピント板を外して当該部位にブロアーなどによって空気を吹き付けて異物を除去した後、ピント板をカメラに組み戻せばよい。ところが、液晶パネルの上面に付着した異物については、構造的に液晶パネル自体を取り外すことができないので、ユーザーが異物を取り除くことは極めて困難である。
【０００９】
よって、ユーザーがファインダー装置を除いて、異物が視認してピント板を外して異物を取り除こうとしても、液晶パネルの上面に異物が付着した場合には、当該作業自体が無駄となる。
【００１０】
また、むやみにピント板を取り外すと、ピント板自体に傷を付けてしまうことがある。そして、ピント板に傷がつくと、異物が付着した場合よりもファインダー装置の視線性が悪化する。
【００１１】
従って、無駄な作業で時間を費やすこと、そして、ピント板に傷がついてしまうことを考慮すると、除去可能な異物であるか否かを確認して除去作業をすることが望ましい。
【００１２】
本発明の目的は、液晶パネルに異物が付着した否かを検知して、検知結果をユーザーに報知することのできる撮像装置、その制御方法、および制御プログラムを提供することにある。
【課題を解決するための手段】
【００１３】
上記の目的を達成するため、光学像が結像するピント部材と、前記ピント部材と重ねて配置されて複数の表示体が表示される表示部材と、前記表示部材を照明する照明手段とを有するファインダー装置を備える撮像装置であって、前記表示部材は光を透過する状態と光を拡散する状態とを切り替え可能であり、前記ピント部材に前記光学像が入射しない遮光状態とするとともに前記照明手段によって前記表示部材を照明して、前記表示部材を光を拡散する状態として前記表示部材を透過した光に応じた第１の画像を生成し、前記表示部材を光を拡散する状態として前記表示部材で拡散した光に応じた第２の画像を生成する画像生成手段と、前記第１の画像および前記第２の画像に基づいて前記表示部材に異物が付着しているか否かを判定する判定手段と、前記判定手段による判定結果に応じて前記異物の前記表示部材における位置を少なくとも報知する報知手段と、を有することを特徴とする。
【発明の効果】
【００１４】
本発明によれば、表示部材に異物が付着した否かを検知して、その検知結果をユーザーに報知することができる。
【図面の簡単な説明】
【００１５】
【図１】本発明の実施の形態による撮像装置の一例についてその構成を示す図である。
【図２】図１に示すカメラに備えられたファインダー装置を分解して示す斜視図である。
【図３】図２に示すＰＮＬＣＤを説明するための図である。
【図４】図１に示すカメラの構成についてその一例を示すブロック図である。
【図５】図３に示すＰＮＬＣＤに異物が付着した際の視認性を説明するための図である。
【図６】図４に示すカメラにおけるファインダーの異物を検出する検出処理の一例を説明するためのフローチャートである。
【図７】図４に示すカメラで行われる異物判定処理の一例を説明するための図である。
【図８】図４に示すカメラで行われる異物判定処理の他の例を説明するための図である。
【図９】図４に示すＰＮＬＣＤに異物が付着している場合の表示処理を説明するための図である。
【図１０】図６に示すファインダー内表示制御を説明するためのフローチャートである。
【図１１】図６に示すゴミ位置指示制御を説明するための図である。
【発明を実施するための形態】
【００１６】
以下に、本発明の実施の形態による撮像装置の一例について図面を参照して説明する。
【００１７】
図１は、本発明の実施の形態による撮像装置の一例についてその構成を示す図である。
【００１８】
図示の撮像装置は、例えば、デジタル一眼レフカメラ（以下単にカメラと呼ぶ）であり、図１においてはユーザーがファインダー装置（以下光学ファインダーと呼ぶ）を観察する状態が示されている。
【００１９】
カメラは、カメラ本体１００および交換レンズユニット（以下単に交換レンズと呼ぶ）１０５を有しており、交換レンズ１０５はカメラ本体１００に着脱可能である。
【００２０】
カメラ本体１００にはＣＰＵ（中央演算処理装置）１０１が備えられており、ＣＰＵ１０１はカメラ本体１００を制御するとともに、カメラ本体１００の動作に連動して交換レンズ１０５に備えられたレンズシステム制御回路（以下レンズ制御回路と呼ぶ）１３１と通信する。そして、レンズシステム制御回路１３１は、ＣＰＵ１０１との通信に応じて絞り１０５ｂおよびレンズ１０５ａの焦点位置を制御する。
【００２１】
撮影光路上には、メインミラー１２３が配置されており、当該メインミラー１２３は撮影光路に対して４５度の角度で配置されている。メインミラー１２３はハーフミラーであり、メインミラー１２３を透過した光はサブミラー１２２によってカメラ本体１００において下方に反射されて、オートフォーカス（ＡＦ）用の焦点検出部（ＡＦセンサー）１１９に入射する。なお、焦点検出部１１９は像面位相差検出によって焦点検出を行う。また、焦点検出部１１９は像面（撮影画面）において複数の領域で焦点検出を行うことができる。
【００２２】
メインミラー１２３によって反射された光は、撮影光路に対して９０度の角度で上方に向い、当該反射光は一次結像面と光学的に等価な位置に配置されたピント板（ピント部材）１２０に結像する。ピント板１２０に結像した光学像は、視野マスク１３４の開口部１３４ａを通過して、高分子分散液晶パネル（表示部材：以下ＰＮＬＣＤという）３００を透過する。そして、この透過光はペンタプリズム１２４によってカメラ本体１００の後方に反射されて、ファインダーレンズ１２１を介してファインダー像として撮影者に観察される。
【００２３】
ＰＮＬＣＤ３００の近傍には、情報表示パネル１２９が配置されており、情報表示パネル１２９からの光はプリズム１２８を介してペンタプリズム１２４に入射する。そして、ユーザーは接眼レンズ１２１を介してファインダー像の下側で情報表示パネル１２９からの光（つまり、カメラ情報）を観察することができる。なお、情報表示パネル１２９は液晶パネルおよびバックライトなどを有している。
【００２４】
測光ユニット（測光（ＡＥ）センサー）１２５は複数の受光部を有している。測光ユニット１２５には、ピント板１２０に結像した被写体像が測光レンズ１２６を介して入射し、複数の受光部（つまり、領域）の各々において輝度を検出する。
【００２５】
メインミラー１２３の後段にはシャッターユニット（フォーカルプレーンシャッタ）１３３が配置され、ＣＰＵ１０１は撮影の際にフォーカルプレーンシャッタ１３３の走行速度（つまり、シャッタ速度）を制御する。フォーカルプレーンシャッタ１３３の後段には、ＣＭＯＳセンサー又はＣＣＤなどの撮像素子１０６が配置され、撮像素子１０６は、入射した被写体像（光学像）に応じた画像信号を出力する。カメラ本体１００の背面には背面モニター１１３が配置されており、ＣＰＵ１０１の制御下で、背面モニター１１３には、画像信号に応じた画像が表示されるとともに、カメラ設定メニューなどが表示される。
【００２６】
ユーザーがレリーズスイッチ（図示せず）を押すと、ＣＰＵ１０１はメインミラー１２３およびサブミラー１２２を交換レンズ１０５の撮影光路の外である上方に退避させる。そして、ＣＰＵ１０１はレンズ制御回路１３１によって絞り１０５ａを制御する。さらに、ＣＰＵ１０１はフォーカルプレーンシャッタ１３３を制御して光量を調整して、被写体像を撮像素子１０６に結像する。そして、ＣＰＵ１０１は撮像素子１０６の出力である画像信号に対して所定の画像処理を行って、撮影済み画像として記録メディア（図示せず）に記録するとともに、背面モニター１１３に撮影済み画像を表示する。
【００２７】
図２は、図１に示すカメラに備えられたファインダー装置を分解して示す斜視図である。なお、図２において、図１に示す構成要素と同一の構成要素については同一の参照番号を付して説明を省略する。
【００２８】
図２においては、図中手前側が交換レンズ１０５側であり、下側がカメラ本体１００の下方向を示す。ペンタホルダー１５０の上部には、ペンタホルダー１５０によってペンタプリズム１２４が保持されている。ＰＮＬＣＤマスク１５１はＰＮＬＣＤ３００の使用領域を規定しており、ＰＮＬＣＤマスク１５１には、両面テープ１５２が固着されている。
【００２９】
ＰＮＬＣＤ３００およびライトガイドバー１２７がペンタホルダー１５０の下側から前述の両面テープに固着されて、ＰＮＬＣＤホルダー１５３によって下側から保持され、ビス１５６によってペンタホルダー１５０に固定されている。視野マスク１３４はピント板１２０に結像した像をファインダーの視野に規定する。
【００３０】
図３は、図２に示すＰＮＬＣＤを説明するための図である。そして、図３（ａ）はＰＮＬＣＤをカメラ本体の上方から見た際の構成要素の配置を示す図であり、図３（ｂ）は図３（ａ）に示すＡ−Ａ線に沿った断面図である。なお、図３（ａ）においては、図中上側が交換レンズ１０５側に対応する。
【００３１】
まず、図３（ａ）を参照して、ＰＮＬＣＤ３００を中心とした場合に、交換レンズ１０５の側にライトガイドバー１２７が配置され、左側に第２の情報表示パネル１３５および第２のプリズム１３６が配置されている。そして、交換レンズ１０５と反対側には第１の情報表示パネル１２９および第１のプリズム１２８が配置されている。また、交換レンズ１０５の右側にはコントロールフレキシブル基板（以下コントロールフレキという）３０１がＰＮＬＣＤ３００に備えられた表示制御部（図示せず）と導通可能に固着されている。
【００３２】
照明ＬＥＤ３０２（照明手段）が、コントロールフレキ３０１の一部に設けられた引き出し部３０１ｂに実装されている。この照明ＬＥＤ３０２はライトガイドバー１２７に備えられた入射部１２７ａに近接するようにして配置されている。照明ＬＥＤ３０２から出射した光は入射部１２７ａから入射して、微細なプリズム部１２７ｃで反射して出射部１２７ｂから出射する。なお、ライトガイドバー１２７については、例えば、実用新案登録第３０８２７６２号公報に記載の構成を用いることができる。
【００３３】
出射部１２７ｂから出射した照明光はＰＮＬＣＤ３００の上端面からＰＮＬＣＤ３００の内部に入射して、ＰＮＬＣＤ３００における表示キャラクタ（表示体）の照明が行われる。
【００３４】
両面テープ１５２はＰＮＬＣＤ３００の有効表示領域を避けて、その外形に沿ってロの字状に配置され、両面テープ１５２からは複数の舌片部１５２ａがライトガイドバー１２７の側に突出する。そして、舌片部１５２ａによって、ペンタホルダー１５０にライトガイドバー１２７が固着される。この際、全反射によって損失が軽減されているので、両面テープ１５２が張り付けられると、両面テープ１５２により全反射が失われ、ライトガイドバー１２７において導光損失が増加する。
【００３５】
このため、ライトガイドバー１２７の出射面１２７ｂおよび入射面１２７ａとそれら中間位置に、舌片部１５２ａを間欠的に設けることによって損失を軽減する。
【００３６】
ここで、ファインダーに表示される表示キャラクタについて説明する。
【００３７】
表示キャラクタの１つである測距点３００ｃはオートフォーカスの際に用いられる測距点であり、測距点の選択時および合焦時に測距点３００ｃが表示される。スポット測光範囲３００ｂは、被写体の特定部分における明るさを測定する際の測定範囲を示す。水準器３００ｄは、カメラ本体１００の撮影光軸回りの傾きの状態を表示する。アスペクト線３００ｅは、例えば、縦横比３：２の撮影範囲を縦横比４：３、１６：９、又は１：１の比率に変更して撮影する際に用いる。
【００３８】
括弧３００ｆは測距点３００ｃをブロック毎に分けてオートフォーカスする場合又は測距点３００ｃの全体を選択範囲として自動で測距点を選択して撮影する際に用いられる。フリッカー表示３００ｇは蛍光灯などの光源下で撮影を行う際、光源のちらつきによって、例えば、撮影画面の上下に生じる露出差を低減していることを示す。方眼線３００ｈは方眼線表示モードの際に表示される。
【００３９】
ＰＮＬＣＤ３００に表示される表示キャラクタはペンタプリズム１２４を介してファインダー像と重なってユーザーによって視認される。この際には、左右が反転して見えるので、アイコン３００ｇが左右反転して表示される。なお、第１の情報表示パネル１２９にはシャッター速度および絞りなどが表示され、第２の情報表示パネル１３５には露出補正値などが表示される。
【００４０】
続いて、図３（ｂ）を参照して、図３（ｂ）には、ライトガイドバー１２７によるＰＮＬＣＤ３００の照明が示されている。ＰＮＬＣＤ３００は上下のガラス３００ｊおよび３００ｋの間に、高分子分散型液晶が挟み込まれており、高分子分散型液晶の周辺がシール部３００ｎで封止されている。
【００４１】
前述したように、ライトガイドバー１２７に備えられたプリズム部１２７ｃからの反射光が出射部１２７ｂから出射されて、照明光としてＰＮＬＣＤ３００に入射する。ＰＮＬＣＤ３００においては、直接光とＰＮＬＣＤ３００上下面で反射した反射光との双方が伝搬して表示キャラクタであるアスペクト線３００ｅ、測距点３００ｃ、および方眼線３００ｈなどに当たる。これによって、拡散光がＰＮＬＣＤ３００の上下面に発せられる。そして、接眼側（図中上側）に向う照射光がペンタプリズム１２４および接眼レンズ１２１を介してユーザーの目に届く。さらに、拡散光は主ミラー１２３側（図中下側）に照射される。
【００４２】
この結果、接眼側に向った照射光はＡＥセンサー１２５に入射し、主ミラー１２３側に向った照射光は焦点検出部１１９に到達して誤反応する恐れがある。このような事態を回避するため、ＡＥセンサー１２５および焦点検出部１１９において電荷蓄積が行われている場合には、照明ＬＥＤ３０２を点灯しない制御が行われる。
【００４３】
上述のようにして、交換レンズ１０５を通過した光学像はピント板１２０に結像して、その後直上に配置されたＰＮＬＣＤ３００を通過してスーパーインポーズされた状態で視認される。この際、被写体が明るければ、ＰＮＬＣＤ３００に表示される表示キャラクタは拡散状態で表示される。これによって、表示キャラクタにおいては光が拡散するのでファインダー像において表示キャラクタは暗く見える。
【００４４】
次に、被写体が暗い状態における表示キャラクタの表示動作について説明する。
【００４５】
ＡＥセンサー１２５による被写体測光の結果である被写体輝度が所定値よりも低い場合に、ＣＰＵ１０１はＰＮＬＣＤ３００の照明を行う。例えば、ＣＰＵ１０１は照明ＬＥＤ３０２を点灯する。これによって、ライトガイドバー１２７を介してＰＮＬＣＤ３００に光が入射する。その結果、表示キャラクタによって照明光が拡散されて、暗い背景において被写体を明るく視認することができる。
【００４６】
このようにして、ファインダー像に表示キャラクタがスーパーインポーズ表示され、被写体の輝度に応じてＰＮＬＣＤ３００が照明されて視認可能となる。
【００４７】
図４は、図１に示すカメラの構成についてその一例を示すブロック図である。なお、図４において、図１に示す構成要素と同一の構成要素について同一の参照番号を付す。
【００４８】
図示の例では、撮像素子１０６として、例えば、ＣＣＤ又はＣＭＯＳイメージセンサーが用いられる。撮像素子１０６は、結像した光学象を光電変換して光学像に応じた電気信号（アナログ信号）を出力する。ＡＭＰ回路２２１は撮像素子１０６の出力であるアナログ信号を、予め設定された撮影感度に応じたゲインで増幅する。そして、Ａ／Ｄ変換回路２２２はＡＭＰ回路２２１の出力をＡ／Ｄ変換してデジタル信号（画像信号）を出力する。
【００４９】
画像処理回路２２３は、Ａ／Ｄ変換回路２２２の出力である画像信号を受けて、当該画像信号に対して、例えば、フィルター処理、色変換処理、およびガンマ／ニー処理を行って、メモリコントローラ２２７に画像データとして出力する。画像処理回路２２３にはＤ／Ａ変換回路が内蔵されている。画像処理回路２２３はＡ／Ｄ変換回路２２２の出力であるデジタル信号又はメモリコントローラ２２７から入力される画像データをアナログ信号に変換する。そして、当該アナログ信号は液晶駆動回路２２４を介して背面モニター１１３に画像として表示される。
【００５０】
なお、上述の画像処理回路２２３による画像処理および表示処理は、ＣＰＵ（マイクロコンピュータ）１０１の制御によって切替制御される。また、ＣＰＵ１０１は、撮影の結果得られた画像データについてカラーバランス情報に基づいてホワイトバランス調整を行う。
【００５１】
メモリコントローラ２２７は、画像処理回路２２３から出力される未処理の画像信号をバッファメモリ２２６に格納する。また、メモリコントローラ２２７は画像処理回路２２３から出力される画像データ（画像処理済みの画像信号）を記録媒体２２８に格納する。
【００５２】
一方、メモリコントローラ２２７はバッファメモリ２２６又は記録媒体２２８から画像信号又は画像データを読み込んで、画像処理回路２２３に出力する。さらに、メモリコントローラ２２７は、外部インタフェース２２９を介して受けた画像データを記録媒体２２８に格納する。また、メモリコントローラ２２７は記録媒体２２８に格納された画像データを、外部インタフェース２２９を介して外部機器（図示せず）に出力する。
【００５３】
なお、外部インタフェース２２９として、例えば、ＵＳＢ、ＩＥＥＥ、又はＨＤＭＩ（登録商標）が用いられる。記録媒体２２８は、カメラ本体１００に対して着脱可能であり、例えば、メモリカードである。
【００５４】
ＣＰＵ１０１はカメラ本体１００全体の制御を司る。ＣＰＵ１０１は不揮発性メモリ２３８に記録されたプログラムを実行して、後述する各種処理を行う。なお、ＣＰＵ１０１は、タイミング制御回路２３２を介して撮像素子１０６の駆動タイミングを制御する。また、ＣＰＵ１０１はシャッター制御回路２３６を介してシャッターユニット１３３を制御する。
【００５５】
電源制御回路２３５は、ＡＣ電源部２３０又は２次電池部２３１から供給される電源を制御するための回路である。電源制御回路２３５は、ＣＰＵ１０１の制御下で電源のオンオフ制御を行う。また、電源制御回路２３５は電源状態検知回路２３４によって検知された現在の電源状態を示す電源状態情報、そして、電源種類検知回路２３３によって検知された現在の電源の種類を示す電源種類情報をＣＰＵ１０１に通知する。
【００５６】
光学フィルター振動制御回路２３７は、光学フィルター２１８に接続された圧電素子２０９を振動させるための回路である。そして、光学フィルター振動制御回路２３７は、ＣＰＵ１０１の制御下で、圧電素子２０９における振動の振幅、振動時間、および振動の軸方向を制御して圧電素子２０９を振動させる。
【００５７】
不揮発性メモリ２３８には、ユーザーが任意に設定したシャッター速度、絞り値、および撮影感度などの設定値が格納されるとともに、その他の各種データが格納される。そして、これら設定値および各種データはカメラ本体１００の電源がオフされた状態においても不揮発性メモリ２３８に保存される。
【００５８】
照明ＬＥＤ（ＬＥＤ）３０２はファインダーに備えられた表示部であるＰＮＬＣＤ３００を照明するためのものである。ＬＥＤ３０２は、後述するようにして、ＣＰＵ１０１によって所定のタイミングで点灯および消灯される。
【００５９】
ＰＮＬＣＤ３００には、ファインダー内表示部駆動回路２４１によって現在オートフォーカスが行われている測距点を示す枠などが表示される。図５には示されていないが、カメラ本体１００には操作部が備えられており、ユーザーは操作部を用いてＣＰＵ１０１に対して各種操作指示を入力する。
【００６０】
図５は、図３に示すＰＮＬＣＤに異物が付着した際の視認性を説明するための図である。そして、図５（ａ）はＰＮＬＣＤの上面および下面に異物が付着した状態を示す図であり、図５（ｂ）は異物が付着した際のファインダーからの視認を示す図である。なお、下面は第１の主面であり、上面は第１の主面に対向する第２の主面である。
【００６１】
図５（ａ）においては、ＰＮＬＣＤ３００の上面に異物４００が付着し、下面に異物４０１が付着している。図５（ａ）においては、図中左側に交換レンズ１０５が位置し、左側から光学像が入射する。そして、当該光学像は主ミラー１２３で４５度上方に位置するファインダー光学系に導かれる。
【００６２】
ＰＮＬＣＤ３００は透過状態であり、ＰＮＬＣＤ３００の上面および下面に異物が存在すると、当該異物によって光学像が遮光される。その結果、図５（ｂ）に示すように、異物４００および４０１の各々は黒い点で視認される結果、ファインダー像の品位が損なわれる。
【００６３】
ここで、ＰＮＬＣＤ３００の上面および下面のいずれの面に異物が付いているかを検出する手法について説明する。
【００６４】
図６は、図４に示すカメラにおけるファインダーの異物を検出する検出処理の一例を説明するためのフローチャートである。ここでは、図５（ａ）に示すＰＮＬＣＤ３００の上面および下面のいずれか一方又は両面に異物（ゴミ）が存在する場合の検出処理について説明する。
【００６５】
ＰＮＬＣＤ３００にゴミが存在する場合、ユーザーは背面モニター１１３を確認して、メニュー（図示せず）からファインダーゴミ検出モードを選択する。これによって、ＣＰＵ１０１は主ミラー１２３を回動して、主ミラー１２３を撮影光路から退避位置に移動する（ステップＳ１０１：ミラーアップ）。主ミラー１２３が退避位置にある場合には、ファインダーは遮光状態になるので暗くなる。
【００６６】
続いて、ＣＰＵ１０１は照明ＬＥＤ３０２を点灯する（ステップＳ１０２）。そして、ＣＰＵ１０１はＰＮＬＣＤ３００を全透過状態とする（ステップＳ１０３）。その後、ＣＰＵ１０１はＡＥセンサー１２５によってＰＮＬＣＤ３００を撮影制御して第１の画像を生成する画像生成を行う（ステップＳ１０４）。
【００６７】
次に、ＣＰＵ１０１は照明ＬＥＤ３０２を点灯させて、ＰＮＬＣＤ３００を全拡散状態とする（ステップＳ１０５）。そして、ＣＰＵ１０１はＡＥセンサーによってＰＮＬＣＤ３００を撮影制御して第２の画像を生成する画像生成を行う（ステップＳ１０６）。その後、ＣＰＵ１０１は第１の画像および第２の画像に基づいてＰＮＬＣＤ３００の上面および下面にそれぞれ異物４００および異物４０１が存在するか否かを判定する判定制御を行う（ステップＳ１０７）。そして、ＣＰＵ１０１は異物の有無を判定して判定結果を得る（ステップＳ１０８）。
【００６８】
図７は、図４に示すカメラで行われる異物判定処理の一例を説明するための図である。そして、図７（ａ）はＰＮＬＣＤの下面に異物が存在する状態を示す図であり、図７（ｂ）はＰＮＬＣＤを全透過状態とした状態を示す図である。また、図７（ｃ）はファインダー視野内の異物を示す図である。
【００６９】
いま、図７（ａ）に示すように、ＰＮＬＣＤ３００の下面に異物４０１が存在するものとする。この場合、図７（ｂ）に示すように、ＰＮＬＣＤ３００を全透過状態とすると、ファインダー視野は黒色であり、当該ファインダー視野において、照明ＬＥＤ３０２によって照明された異物４０１が赤く光り、これによって異物４０１を検出することができる（図７（ｃ）参照）。
【００７０】
図８は、図４に示すカメラで行われる異物判定処理の他の例を説明するための図である。そして、図８（ａ）はＰＮＬＣＤの上面に異物が存在する状態を示す図であり、図８（ｂ）はＰＮＬＣＤを全拡散状態とした状態を示す図である。また、図８（ｃ）はファインダー視野内の異物を示す図である。
【００７１】
図８（ａ）に示すように、ＰＮＬＣＤ３００の上面に異物４００が存在するものとする。この場合、図８（ｂ）に示すように、ＰＮＬＣＤ３００を全拡散状態とすると、ファインダー視野において、照明ＬＥＤ３０２からの光が異物４００で遮光されて、異物４００を黒点（黒抜けの点）として検出することができる（図８（ｃ）参照）。
【００７２】
再び図６を参照して、ＰＮＬＣＤ３００の上面および下面の双方に異物が存在しないと（ステップＳ１０８において、ＮＯ）、ＣＰＵ１０１は、「異物は付着していません」の文言を背面モニター１１３に表示する（ステップＳ１０９）。そして、ＣＰＵ１０１は主ミラー１２３をファインダー観察位置に戻す（ステップＳ１１０：ミラーダウン）。その後、ＣＰＵ１０１はファインダーゴミ検出モードを終了する。
【００７３】
一方、異物が存在すると（ステップＳ１０８において、ＹＥＳ）、ＣＰＵ１０１は異物がＰＮＬＣＤ３００の上面、下面、又は両面のいずれにあるかを判定する（ステップＳ１１１）。異物がＰＮＬＣＤ３００の上面にある場合（ステップＳ１１１において、上面）、ＣＰＵ１０１は第１の表示処理を行う（ステップＳ１１２）。異物がＰＮＬＣＤ３００の下面にある場合（ステップＳ１１１において、下面）、ＣＰＵ１０１は第２の表示処理を行う（ステップＳ１１３）。異物がＰＮＬＣＤ３００の両面にある場合（ステップＳ１１１において、両面）、ＣＰＵ１０１は第３の表示処理を行う（ステップＳ１１４）。
【００７４】
図９は、図４に示すＰＮＬＣＤに異物が付着している場合の表示処理を説明するための図である。そして、図９（ａ）は第１の表示処理を示す図であり、図９（ｂ）は第２の表示処理を示す図である。また、図９（ｃ）は第３の表示処理を示す図である。
【００７５】
異物がＰＮＬＣＤの上面に付着している場合には、前述のように、ファインダー視野において異物４００が黒点で表示される。この場合には、カメラを分解しないと異物は取り除けない（除去不可）。よって、ＣＰＵ１０１は第１の表示処理によって異物４００の位置に最も近いキャラクタと「異物は取れないのでサービスに持ち込んで下さい」の文言を背面モニター１１３に表示してユーザーに報知する。
【００７６】
異物がＰＮＬＣＤの下面に付着している場合には、前述のように、ファインダー視野において異物４０１が赤く光る。この場合には、ピント板１２０を取り外せば異物を取り除ける（除去可能）。よって、ＣＰＵ１０１は第２の表示処理によって異物４０１の位置に最も近いキャラクタと「異物は注意してピント板を外しブロアーで飛ばすことが可能です」の文言を背面モニター１１３に表示してユーザーに報知する。
【００７７】
異物がＰＮＬＣＤの両面に付着している場合には、前述のように、ファインダー視野において異物４００は黒点で表示され、異物４０１は赤く光る。この場合には、異物４０１は取り除けるが、異物４００は取り除けない。よって、ＣＰＵ１０１は第３の表示処理によって異物４００および４０１の位置に最も近いキャラクタを背面モニター１１３に表示する。さらに、ＣＰＵ１０１は異物４０１に最も近いキャラクタに付加して「異物は注意してピント板を外しブロアーで飛ばすことが可能です」の文言を背面モニター１１３に表示する。
【００７８】
ステップＳ１１２、Ｓ１１３、又はＳ１１４の処理の後、ＣＰＵ１０１はファインダー内表示制御を行う（ステップＳ１１５）。なお、この表示制御は、背面モニター１１３に異物の位置および処置手法について表示している際中に、ユーザーがファインダーを覗いた場合においても異物の位置を確認可能とするために行われる。
【００７９】
図１０は、図６に示すファインダー内表示制御を説明するためのフローチャートである。
【００８０】
ＣＰＵ１０１は照明ＬＥＤ３０２を点灯する（ステップＳ２０１）。そして、ＣＰＵ１０１は異物の位置がＰＮＬＣＤ３００の上面、下面、および両面のいずれに存在するかを判定する（ステップＳ２０２）。
【００８１】
異物が上面にある場合には（ステップＳ２０２において、上面）、ＣＰＵ１０１はＰＮＬＣＤ３００において異物近傍のキャラクタ表示と全拡散表示とを交互に繰り返す（ステップＳ２０３：第１のファインダー表示）。異物が下面にある場合には（ステップＳ２０２において、下面）、ＣＰＵ１０１はＰＮＬＣＤ３００において異物近傍のキャラクタ表示と全透過状態とを交互に繰り返す（ステップＳ２０４：第２のファインダー表示）。異物が両面にある場合には（ステップＳ２０２において、両面）、ＣＰＵ１０１はＰＮＬＣＤ３００において異物近傍のキャラクタ表示、全拡散、および全透過を順次繰り返す（ステップＳ２０５：第３のファインダー表示）。
【００８２】
ステップＳ２０３、Ｓ２０４、又はＳ２０５の処理の後、ＣＰＵ１０１は所定の設定時間（例えば、５秒）が経過したか否かを判定する（ステップＳ２０６）。設定時間が経過すると（ステップＳ２０６において、ＹＥＳ）、ＣＰＵ１０１はファインダー内表示制御を終了する。一方、設定時間が経過しないと（ステップＳ２０６において、ＮＯ）、ＣＰＵ１０１はステップＳ２０２の処理に戻る。
【００８３】
再び図６を参照して、ＣＰＵ１０１は背面モニター１１３に「ピント板を取り外しますか？」を表示する。そして、ＣＰＵ１０１はユーザーがピント板を取り外す旨を選択したか否かを判定する（ステップＳ１１６）。ピント板の取り外しを選択すると（ステップＳ１１６において、ＹＥＳ）、ＣＰＵ１０１は主ミラー１２３をファインダー像観察位置に戻す（ステップＳ１１７：ミラーダウン）。その後、ＣＰＵ１０１はゴミ位置指示制御を行う（ステップＳ１１８）。
【００８４】
図１１は、図６に示すゴミ位置指示制御を説明するための図である。そして、図１１（ａ）はゴミ位置指示制御を示すフローチャートであり、図１１（ｂ）は異物近傍の（異物に最も近い）キャラクタの表示を示す図である。
【００８５】
ゴミ位置指示制御を開始すると、ＣＰＵ１０１は照明ＬＥＤ３０２を点灯する（ステップＳ３０１）。そして、ＣＰＵ１０１は異物近傍のキャラクタを表示する（ステップＳ３０２）。これによって、ユーザーに対して異物の位置を分かりやすくすることができる。その結果、ユーザーはブロアーを集中的に吹き付けて異物を効果的に飛ばすことができる。
【００８６】
続いて、ＣＰＵ１０１は異物除去を終えてピント板が組み戻されたか否かを判定する（ステップＳ３０３）。ここでは、ＣＰＵ１０１はピント板検出スイッチ（図示せず）によってピント板の組戻しを検出する。
【００８７】
ピント板が組み戻されないと（ステップＳ３０３において、ＮＯ）、ＣＰＵ１０１は待機する。一方、ピント板が組み戻されると（ステップＳ３０３において、ＹＥＳ）、ＣＰＵ１０１はゴミ位置指示制御を終了する。
【００８８】
再び図６を参照して、ＣＰＵ１０１は背面モニター１１３に「復帰しますか？」を表示する。そして、ＣＰＵ１０１はユーザーが復帰を選択したか否かを判定する（ステップＳ１１９）。復帰が選択されると（ステップＳ１１９において、ＹＥＳ）、ＣＰＵ１０１はファインダーゴミ検出モードを終了する。一方、復帰が選択されないと（ステップＳ１１９において、ＮＯ）、ＣＰＵ１０１はステップＳ１１５の処理に戻る。
【００８９】
このように、本発明の実施の形態では、ＰＮＬＣＤ３００の上面に異物がある場合においては、異物が黒点となり、異物が下面にある場合には、異物が照明色の点（例えば、赤い点）となる。そして、ＡＥセンサー１２５によってこれらの異物の色を検出すれば、異物がＰＮＬＣＤ３００の上下面のいずれの面に存在するか、そして、異物の位置を容易に判定することができる。
【００９０】
以上、本発明について実施の形態に基づいて説明したが、本発明は、これらの実施の形態に限定されるものではなく、この発明の要旨を逸脱しない範囲の様々な形態も本発明に含まれる。
【００９１】
例えば、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【００９２】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００９３】
１００  カメラ本体
１０５  交換レンズ
１１９  焦点検出部
１２０  ピント板
１２３  主ミラー
１２５  ＡＥセンサー
１２７  ライトガイドバー
１３３  シャッターユニット
３００  ＰＮＬＣＤ
３０２  照明ＬＥＤ（ＬＥＤ）
４００，４０１  異物（ゴミ）
【図１】
2019129458.tif 000003
【図２】
2019129458.tif 000004
【図３】
2019129458.tif 000005
【図４】
2019129458.tif 000006
【図５】
2019129458.tif 000007
【図６】
2019129458.tif 000008
【図７】
2019129458.tif 000009
【図８】
2019129458.tif 000010
【図９】
2019129458.tif 000011
【図１０】
2019129458.tif 000012
【図１１】
2019129458.tif 000013